(57)【要約】【目的】振動特性を良好に維持する一端部保持（固定端）の水晶振動子を提供する。【構成】本発明は、特許請求の範囲（請求項１）に示したように、水晶片に穴部を設けて外周部よりも厚みの小さい振動領域を形成し、前記振動領域の両主面に形成した一対の励振電極から前記水晶片の外周部にそれぞれ引出電極を延出し、前記一対の励振電極の一方から引出電極の延出した前記水晶片の外周部は共晶合金によって電気的・機械的に接続して固定端とし、前記一対の励振電極の他方から引出電極の延出した前記水晶片の外周部はワイヤーボンディングによって電気的に接続した水晶振動子の保持構造において、前記励振電極の他方から引出電極の延出した前記水晶片の外周部は前記固定端上として、前記固定端上となる前記水晶片の外周部にてワイヤーボンディングされた水晶振動子の保持構造とする。【選択図】図１
2006033165.tif 000002
【特許請求の範囲】
【請求項１】
水晶片に穴部を設けて外周部よりも厚みの小さい振動領域を形成し、前記振動領域の両主面に形成した一対の励振電極から前記水晶片の外周部にそれぞれ引出電極を延出し、前記一対の励振電極の一方から引出電極の延出した前記水晶片の外周部は共晶合金によって電気的・機械的に接続して固定端とし、前記一対の励振電極の他方から引出電極の延出した前記水晶片の外周部はワイヤーボンディングによって電気的に接続した水晶振動子の保持構造において、前記励振電極の他方から引出電極の延出した前記水晶片の外周部は前記固定端上として、前記固定端上となる前記水晶片の外周部にてワイヤーボンディングされたことを特徴とする水晶振動子の保持構造。
【発明の詳細な説明】
【技術分野】
【０００１】
本発明は高周波用（概ね100MHz以上）の水晶振動子を技術分野とし、特に水晶片の一端部のみを固定端として経年変化を含めて振動特性を良好とする水晶振動子の保持構造に関する。
【背景技術】
【０００２】
（発明の背景）水晶振動子は周波数制御素子として特に通信周波数の基準として発振器に組み込まれる。近年では、光通信の普及等によって振動周波数の高いものが要求される。このようなものの一つに、本出願人による水晶振動子がある（特許文献１）。
【０００３】
（従来技術の一例）第２図は一従来例を説明する水晶振動子の図で、同図（ａ）は平面図、同図（ｂ）は断面図である。
【０００４】
水晶振動子はＡＴカットとして矩形状とした水晶片１を備え、容器本体２内に収容される。水晶片１は円状の穴部を設けられて、外周部よりも厚みの小さい振動領域３を有する。振動領域３の両主面には一対の励振電極４（ａｂ）を有し、反対方向の両端外周部に引出電極５（ａｂ）を延出する。励振電極４（ａｂ）は円状とする。各引出電極５（ａｂ）は励振電極４（ａｂ）の約半周上で接続し、広がり領域を経て各外周部に延出する。これにより、励振電極４（ａｂ）と引出電極５（ａｂ）との導通抵抗を小さくする。
【０００５】
容器本体２は凹状とした積層セラミックからなる。そして、内底面の例えば一端側に厚膜金属からなる一方の内部端子６ａを、他端側に他方の内部端子６ｂを有する。各内部端子６（ａｂ）は外表面に設けた表面実装用の外部端子７（ａｂ）と電気的に接続する。
【０００６】
そして、引出電極５（ａｂ）の延出した水晶片１の一端部を共晶合金８によって、容器本体２の内底面に設けた一方の内部端子６ａ上に固着して、電気的・機械的に接続する。また、引出電極５（ａｂ）の延出した水晶片１の他端部は、ワイヤーボンディングによって他方の内部端子６ｂに電気的に接続する。
【０００７】
なお、水晶片１の他端部は内底面に設けられた枕台９上に載置される。そして、容器本体２の開口面にはカバー１０を被せて水晶片１を密閉封入する。図中の符号１１はワイヤーボンディングの金線である。
【０００８】
このようなものでは、水晶片１の一端部のみを固着して固定端として、他方を電気的に接続して自由端とする。したがって、例えば容器本体２との熱膨張差による歪みの発生を防止し、周波数温度特性等を含めた振動特性を良好に維持する。
【特許文献１】特開２００４−８０７１１号公報
【発明の開示】
【発明が解決しようとする課題】
【０００９】
（従来技術の問題点）しかしながら、上記構成の水晶振動子では、水晶片１の他端部をワイヤーボンディングするために枕台９を必要とする。このため、水晶片１の他端部が振動中に枕台９に接触して完全な自由端とはならず、例えば振動が起こりにくくなり、諸特性を悪化させる問題があった。
【００１０】
このことから、ワイヤーボンディング後に枕台９を除去する必要があった。しかし、この場合には、凹状とした容器本体２内での枕台９の出し入れが困難であった。特に、小型になるほど困難になる。そして、製造工程を増やす問題があった。
【００１１】
（発明の目的）本発明は振動特性を良好に維持する一端部保持（固定端）の水晶振動子を提供することを目的とする。
【課題を解決するための手段】
【００１２】
本発明は、特許請求の範囲（請求項１）に示したように、水晶片に穴部を設けて外周部よりも厚みの小さい振動領域を形成し、前記振動領域の両主面に形成した一対の励振電極から前記水晶片の外周部にそれぞれ引出電極を延出し、前記一対の励振電極の一方から引出電極の延出した前記水晶片の外周部は共晶合金によって電気的・機械的に接続して固定端とし、前記一対の励振電極の他方から引出電極の延出した前記水晶片の外周部はワイヤーボンディングによって電気的に接続した水晶振動子の保持構造において、前記励振電極の他方から引出電極の延出した前記水晶片の外周部は前記固定端上として、前記固定端上となる前記水晶片の外周部にてワイヤーボンディングされた水晶振動子の保持構造とする。
【発明の効果】
【００１３】
このような構成であれば、ワイヤーボンディングは水晶片の固定端上とするので、枕台を不要にする。したがって、一端部を固定端として他端部を完全な自由端とし、振動特性を良好にする。
【実施例】
【００１４】
第１図は本発明の一実施例を説明する水晶振動子の図で、同図（ａ）は平面図、同図（ｂ）は断面図である。なお、前従来例と同一部分には同番号を付与してその説明は簡略又は省略する。
【００１５】
水晶振動子は、前述同様に外周部よりも厚みの小さい振動領域３を有する水晶片１を容器本体２内に密閉封入する。振動領域３の両主面には一対の励振電極４（ａｂ）を有し、広がり領域を持った引出電極５（ａｂ）を隣接する二辺に延出する。二辺に延出した引出電極５（ａｂ）は一角部で重畳（対向）する。
【００１６】
容器本体２の内底面には一端側の一角部に一方の内部端子６ａを有し、他角部に他方の内部端子６ｂを有する。そして、引出電極５（ａｂ）の延出した水晶片１の一角部を共晶合金８によって一方の内部端子６ａに固着して、電気的・機械的に接続する。これにより、水晶片１の一角部を固定端とする。
【００１７】
そして、共晶合金８による水晶片１の固定端上の引出電極５（ａｂ）と、他方の内部端子６ｂとを金線１１のワイヤーボンディングによって電気的に接続する。
【００１８】
このような構成であれば、水晶片１の固定端上にワイヤーボンディングするので、共晶合金８が枕台９を兼用する。したがって、ワイヤーボンディングを容易にして水晶片１の他端部を完全な自由端とする。これにより、水晶片１の他端部が接触することなく、振動特性を良好にする。
【図面の簡単な説明】
【００１９】
【図１】本発明の一実施例を説明する水晶振動子の図で、同図（ａ）は平面図、同図（ｂ）は断面図である。
【図２】従来例を説明する水晶振動子の図で、同図（ａ）は平面図、同図（ｂ）は断面図である。
【符号の説明】
【００２０】
１  水晶片、２  容器本体、３  振動領域、４  励振電極、５  引出電極、６  内部端子、７  外部端子、８  共晶合金、９  枕台、１０  カバー、１１  金線。
【図１】
2006033165.tif 000003
【図２】
2006033165.tif 000004